(57)【要約】【課題】  １つのガイダンス画面を表示するのみであり、表示されているガイダンス画面の行動の後に、さらに何段階の行動をしなければいけないのかわからなかった。【解決手段】  制御部は、表示部に複数のガイダンス画面に対応するシンボルを複数のガイダンス画面の階層構造を示すように並べ、表示部に表示させているガイダンス画面に対応するシンボルを他のシンボルとは異なる表示形態で表示するガイダンス階層構造画面を表示させる。【選択図】図５
2018173828.tif 000002
【特許請求の範囲】
【請求項１】
異常が発生した場合にユーザに対処方法を示し、対処後にユーザに対処結果を操作部により入力させる階層化された複数のガイダンス画面が記憶された記憶部と、異常が発生した場合に、前記複数のガイダンス画面のうち最上位階層のガイダンス画面を表示部に表示させ、操作部への入力に対応して下位階層のガイダンス画面に切り替えて前記表示部に表示させる制御部を備えた火災受信機において、
前記制御部は、前記表示部に前記複数のガイダンス画面に対応するシンボルを前記複数のガイダンス画面の階層構造を示すように並べ、前記表示部に表示させているガイダンス画面に対応するシンボルを他のシンボルとは異なる表示形態で表示するガイダンス階層構造画面を表示させることを特徴とする火災受信機。
【請求項２】
多数の機能を項目分けして階層化し、表示部に表示された各項目を選択する操作をすると、前記選択された項目に対応する下位階層の画面とともに上位階層の画面を前記表示部に表示させ、上位階層と下位階層の関連を示すように表示させる制御部を備えたことを特徴とする火災受信機。
【請求項３】
複数の端末機器が信号線を介して接続され、前記各端末機器の種別と前記各端末機器を特定するための複数の情報が階層化された特定情報とが関連付けられて記憶されたデータベースを有する火災受信機において、
前記火災受信機の複数の機能のうち１つの機能が選択されたときに、前記データベースから該機能に関連する種別が関連付けられている端末機器の特定情報のうち最上位階層の情報を抽出して表示部に表示し、最上位階層の情報のうち１つの情報が選択されたときに、前記特定情報の一段下階層の情報を抽出して表示部に表示し、前記一段下階層の情報のうち１つの情報が選択されると、さらに前記特定情報の一段下階層の情報を抽出して表示部に表示することを繰り返して前記特定情報の全てが選択されることにより前記機能を実行する端末機器を特定する端末特定部を備えたことを特徴とする火災受信機。
【発明の詳細な説明】
【技術分野】
【０００１】
本発明は、火災受信機に関し、特にその表示方法に関するものである。
【背景技術】
【０００２】
従来の火災受信機では、火災を検出したときなどに階層化されたガイダンス画面を表示し、ガイダンスに従ってユーザが現場確認等の行動（作業）をした後にガイダンス画面に表示されるスイッチを操作すると、次の行動（作業）を示す下位階層のガイダンス画面を表示し、これを繰り返してユーザに対処を行わせている（特許文献１参照）。
【０００３】
また、従来の火災受信機では、多数の機能を項目分けして階層化し、画面に表示された各項目を選択する操作をするとそれに対応する下位階層の画面に切り換えて表示させ、さらに下位階層の画面に表示された各項目を選択すると所望の機能を実行する（特許文献２参照）。
【０００４】
また、従来の火災受信機では、複数の端末機器を接続される配線の系統、アドレス、通番（あるいは棟、階、区、番）のように階層化して管理しており、試験等の機能を実施するため端末機器を指定する際には、印刷した管理表を見ながらその機能の対象となる端末機器を指定する（特許文献３参照）。
【先行技術文献】
【特許文献】
【０００５】
【特許文献１】特開平０８−０９６２７１号公報
【特許文献２】特開平０５−３３４５８５号公報
【特許文献３】特開２００５−０３２０２５号公報
【発明の概要】
【発明が解決しようとする課題】
【０００６】
しかし、特許文献１において、１つのガイダンス画面を表示するのみであり、表示されているガイダンス画面の行動（作業）の後に、さらに何段階の行動（作業）をしなければいけないのかわからず、ユーザが不安を感じるおそれがあった。また、ガイダンス画面に表示される複数のスイッチ（たとえば「火災」スイッチと「非火災スイッチ」）の操作により、分岐して異なるガイダンス画面を表示することがあるが、操作したスイッチに対応するガイダンスと異なる分岐先がどのようなものか全くわからなかった。
【０００７】
また、特許文献２において、上位階層の画面に切り替えて下位階層の画面を表示させるため、現在表示している画面が何階層目であるか、どの項目の下位階層かがわからなかった。
【０００８】
また、特許文献３において、それぞれの階層の番号の全てについて、管理表を見ながら画面上のスイッチを操作して入力しなければならず手間であり、入力間違えをするおそれがあった。
【０００９】
本発明は、上記のような課題を解決するためになされたもので、階層化された複数の画面のうち表示している画面がどの階層に属するのか、上位階層との関係を容易に把握できる火災受信機を提供することを目的とする。また、所定の機能を実施する際に端末機器を指定するとき、容易に端末機器を指定できる火災受信機を提供することを目的とする。
【課題を解決するための手段】
【００１０】
本発明の火災受信機は、異常が発生した場合にユーザに対処方法を示し、対処後にユーザに対処結果を操作部により入力させる階層化された複数のガイダンス画面が記憶された記憶部と、異常が発生した場合に、前記複数のガイダンス画面のうち最上位階層のガイダンス画面を表示部に表示させ、操作部への入力に対応して下位階層のガイダンス画面に切り替えて前記表示部に表示させる制御部を備えた火災受信機において、前記制御部は、前記表示部に前記複数のガイダンス画面に対応するシンボルを前記複数のガイダンス画面の階層構造を示すように並べ、前記表示部に表示させているガイダンス画面に対応するシンボルを他のシンボルとは異なる表示形態で表示するガイダンス階層構造画面を表示させることを特徴とする。
【００１１】
本発明の火災受信機は、多数の機能を項目分けして階層化し、表示部に表示された各項目を選択する操作をすると、前記選択された項目に対応する下位階層の画面とともに上位階層の画面を前記表示部に表示させ、上位階層と下位階層の関連を示すように表示させる制御部を備えたことを特徴とする。
【００１２】
本発明の火災受信機は、複数の端末機器が信号線を介して接続され、前記各端末機器の種別と前記各端末機器を特定するための複数の情報が階層化された特定情報とが関連付けられて記憶されたデータベースを有する火災受信機において、前記火災受信機の複数の機能のうち１つの機能が選択されたときに、前記データベースから該機能に関連する種別が関連付けられている端末機器の特定情報のうち最上位階層の情報を抽出して表示部に表示し、最上位階層の情報のうち１つの情報が選択されたときに、前記特定情報の一段下階層の情報を抽出して表示部に表示し、前記一段下階層の情報のうち１つの情報が選択されると、さらに前記特定情報の一段下階層の情報を抽出して表示部に表示することを繰り返して前記特定情報の全てが選択されることにより前記機能を実行する端末機器を特定する端末特定部を備えたことを特徴とする
【発明の効果】
【００１３】
本発明の火災受信機によれば、異常発生時にユーザに対処方法を示すガイダンス画面とともに、ガイダンス画面の階層構造を示すガイダンス階層構造画面を表示し、現在表示しているガイダンス画面が何階層目であるか、残りの作業を示すガイダンス画面がどれくらいあるかユーザは知ることができるため、ユーザに落ち着いて対処させることができる。また、ガイダンスに従い対処を行った後に、ガイダンス画面に表示されたスイッチを操作する場合に、ガイダンス画面の分岐先がどのような作業になっているかわかるため、複数あるうちのどのスイッチを押したらよいかユーザが判断することができる。
また、本発明の火災受信機によれば、多数の機能を項目分けして階層化している場合、上位階層の項目を選択すると下位階層の画面とともに上位階層の画面を表示し、上位階層と下位階層の関連を示すように表示するため、現在表示している画面が何階層目であるか、どの項目の下位階層かわかる。そのため、ユーザは目的の機能を選択するときに、上位階層の項目の選択が正しいのか確認したり、間違った項目を選択したりしていないか容易に判別することができる。
また、本発明の火災受信機によれば、複数の機能のうち端末機器を指定する機能が選択されたときに、階層化された端末機器の特定情報のうち選択された機能に関連する特定情報のみを上位階層から順に選択することで容易に端末機器を指定することができる。また、選択した機能に関係ない種別の端末機器を指定してしまうことがない。
【図面の簡単な説明】
【００１４】
【図１】本発明の火災受信機の実施形態の一例を示すシステム構成図である。
【図２】火災受信機の一例を示す機能ブロック図である。
【図３】端末データベースＤＢ１のデータ構造の一例を示す模式図である。
【図４】ガイダンスデータベースＤＢ２のデータ構造の一例を示す模式図である。
【図５】表示操作部２に表示する火災画面５０の一例を示す模式図である。
【図６】表示操作部２に表示するガイダンス階層構造画面の一例を示す模式図である。
【図７】表示操作部２に表示する火災断定またはベル・他設備移報停止のガイダンス画面の一例を示す模式図である。
【図８】表示操作部２に表示する第１階層メニュー画面の一例を示す模式図である。
【図９】表示操作部２に表示する第２階層または第３階層メニュー画面を表示したときの一例を示す模式図である。
【図１０】試験端末機器選択画面２００の一例を示す模式図である。
【発明を実施するための形態】
【００１５】
＜システム構成＞
図１は、本発明の火災受信機の実施形態を示すシステム構成図である。火災受信機ＦＡは、火災感知器等の複数の端末機器が信号線ＳＧを介して接続されるものであって、火災受信機ＦＡと各端末機器とは通信を行う。火災受信機ＦＡから複数の信号線ＳＧを延設することができ、信号線ＳＧのそれぞれに固有の系統ＬＮが割り当てられている。また各端末機器にはそれぞれ固有のアドレスＡＤが割り当てられており、このアドレスＡＤと系統ＬＮによって火災受信機ＦＡは各端末機器を識別することができる。
【００１６】
火災受信機ＦＡに接続される端末機器としては、たとえば光電式アナログ感知器ＳＥ１１、熱式アナログ感知器ＳＥ１２、アドレッサブル発信機ＳＥ１３等が挙げられる。光電式アナログ感知器ＳＥ１１は、煙感知器の一種であって、検出した煙のアナログ値を火災受信機ＦＡに送信する。熱式アナログ感知器ＳＥ１２は、熱感知器の一種であって、検出した周囲温度のアナログ値を火災受信機ＦＡに送信する。アドレッサブル発信機ＳＥ１３は、いわゆる火災発信機であって、火災の発見者が手動操作する押しボタンを備え、押しボタンがオンされると火災信号を火災受信機ＦＡに送信する。
【００１７】
また、信号線ＳＧには端末機器である各種中継器を介して被制御装置が接続されている。図１においては、たとえば信号線ＳＧに地区ベル用中継器Ｂ１１が接続されており、地区ベル用中継器Ｂ１１には４つの地区ベルＢ１１１〜Ｂ１１４が接続されている。そして、各地区ベルＢ１１１〜Ｂ１１４は火災受信機ＦＡからの制御信号に従って火災を報知するための音を出力する。また、信号線ＳＧには防排煙制御用中継器Ｄ１１が接続されており、防排煙制御用中継器Ｄ１１には防排煙機器としての防火戸Ｄ１１１、排煙機Ｄ１１２、シャッタＤ１１３、及びたれ壁Ｄ１１４が接続されている。これら信号線ＳＧに接続された端末機器は、信号線ＳＧを介して火災受信機ＦＡと通信するとともに、信号線ＳＧを介して電源が供給されている。
【００１８】
火災受信機ＦＡは、各端末機器との間で、以下のポイントポーリング、セレクティング、システムポーリングの３種の方法により端末機器の状態情報が収集され、あるいは端末機器等が制御される。
（１−１）ポイントポーリング
火災受信機ＦＡは、複数接続されている端末機器の状態を収集するために、何台かを１つのグループとして端末機器に状態情報要求命令を送信する。一方、それぞれの端末機器は、状態情報要求命令に対して、自己のアドレスＡＤに応じてタイミングをはかり、状態情報を火災受信機ＦＡに通報する。火災受信機ＦＡは、このようなグループへの通信を繰り返し行い、全端末機器の状態情報を収集する。
【００１９】
（１−２）セレクティング
火災受信機ＦＡは、所望の端末機器に対応するアドレスＡＤを指定して所定の制御命令を送信し、当該端末機器を制御する、あるいは、所望の端末機器に状態情報等の要求命令を送信し、個々の端末機器から状態情報を収集する。アドレスＡＤを指定された端末機器は、制御命令に対して火災受信機ＦＡへ制御結果を通報し、あるいは要求された状態情報を通報する。
【００２０】
（１−３）システムポーリング
火災受信機ＦＡは、全ての端末機器に対して共通の制御命令を送信し、各端末機器を制御する。システムポーリングによる制御命令としては、たとえば火災復旧命令（火災信号を出力した感知器や中継器等を正常な監視状態に復旧させる命令）、地区音響停止命令（鳴動中の地区ベル用中継器Ｂ１１を停止させる命令）等がある。
【００２１】
（２）異常発生状態の情報の収集について
火災受信機ＦＡは、光電式アナログ感知器ＳＥ１１などの端末機器からポイントポーリングにより収集した状態情報に火災情報が含まれている場合には、記憶部３に格納されたデータベースに従い、火災情報を送信した端末機器に対応する防排煙制御用中継器Ｄ１１に対して、セレクティングにて制御信号を送信して被制御機器を作動させる。また、火災受信機ＦＡの記憶部３に格納されたデータベースに登録された端末機器に対してポイントポーリングで状態情報要求命令を送信したときに、その状態情報要求命令に対して応答しない端末機器が存在する場合、表示操作部２に無応答である旨の表示を行う。また、その他にもガス漏れの発生、端末機器の故障など様々な異常を検出して表示を行う。
【００２２】
＜火災受信機ＦＡの構成＞
図２は図１の火災受信機ＦＡの一例を示す機能ブロック図である。火災受信機ＦＡは、制御部１、操作部を兼ねる表示部２（以下、表示操作部２と呼ぶ）、記憶部３、端末特定部４、送受信部５を備えている。制御部１は火災受信機ＦＡの動作を制御するものであって、送受信部５を介して上述した各種ポーリングを各端末機器に対して行い、各端末機器の状態を収集するとともに、試験等の各種動作を行わせるものである。制御部１は各種ポーリングにより収集した各端末機器の状態を記憶部３に記憶する機能を有している。なお、火災受信機ＦＡには複数（たとえば１〜１２系統）の送受信部５が設けられており、各送受信部５にはそれぞれ信号線ＳＧを介して複数の端末機器が接続されている。
【００２３】
表示操作部２はたとえばタッチパネルからなっており、各種情報を表示する表示部としての機能を有するとともに、作業者が画面に触れることにより所定のスイッチ（コマンドボタン）を選択できる操作部としての機能を有する。したがって、表示操作部２には所定の画面が表示されるとともに、作業者がパネルに触れることにより制御部１または端末特定部４に所定の選択信号が出力されることになる。この表示操作部２の表示は制御部１または端末特定部４により制御されている。なお、表示部と操作部とを別々に設けるようにしてもよい。
【００２４】
記憶部３には端末機器に関する各種データを格納した端末データベースＤＢ１およびガイダンス画面に関する各種データを格納したガイダンスデータベースＤＢ２が記憶されている。
端末特定部４は、表示操作部２に端末機器を選択するためのスイッチを表示させ、ユーザの入力に応じて選択された端末機器を特定する。
【００２５】
＜端末データベースの構造＞
図３は記憶部３に記憶された端末データベースＤＢ１のデータ構造の一例を示す図である。図３の端末データベースＤＢ１には火災受信機ＦＡに接続された各端末機器のアドレスＡＤと端末機器種別ＫＩ（以下、種別ＫＩと呼ぶことがある）とが関連づけて記憶されている。さらに詳しくは端末データベースＤＢ１には「系統ＬＮ」、「アドレス番号ＡＤ」、「端末機器の種別ＫＩ」、「通番」、「被制御装置種別」、設置場所を表す「棟」、「階」、「区」、「番」、「設置場所名」からなる「設置場所ＳＰ」が格納されている。
【００２６】
「系統ＬＮ」は、複数の送受信部５のうちいずれの送受信部５に接続された端末機器であるかを示すものであり、端末機器の特定情報のうち最上位階層である第１階層の情報に該当する。「アドレスＡＤ」は、火災受信機ＦＡが送受信部５から信号線ＳＧを介して各端末機器へ通信する際に、いずれの端末機器であるかを識別できるように各端末機器に付与された番号であり、端末機器の特定情報のうち第２階層の情報に該当する。「端末機器の種別ＫＩ」は、信号線ＳＧを介して火災受信機ＦＡと直接通信を行うことのできる各端末機器の種類を意味する。なお、図３においては、端末機器の種別ＫＩは実際の名称で記憶されている場合について例示しているが、各種別に対応した種別コードを割り当て種別コードで端末機器を分類・管理するようにしてもよい。
【００２７】
「通番」は、１台の中継器に対して接続された複数の被制御装置のいずれを制御するかを特定するために、防排煙機器（が接続される各制御回線）に対応して付与された番号であり、端末機器の特定情報のうち最下位階層である第３階層の情報に該当する。たとえば防排煙制御用中継器Ｄ１１に接続されている防火戸Ｄ１１１、排煙機Ｄ１１２、シャッタＤ１１３、およびたれ壁Ｄ１１４のそれぞれについて１〜４の通番が割り付けられている。「被制御装置種別」は、複数の被制御装置の種別を特定する種別条件に相当し、たとえば防火戸、排煙機、シャッタ、たれ壁等の種別を意味している。
【００２８】
「設置場所ＳＰ」は端末機器が設置されている場所を示す情報であって、設置される建物の「棟」、「階」、「区」、「番」の番号および「設置場所名」で構成されていて、たとえば「１棟１階１区１番  １Ｆ第１会議室」等を示すものである。「棟」、「階」、「区」、「番」も端末機器の特定情報として利用でき、「棟」が最上位階層である第１階層、「階」が第２階層、「区」が第３階層、「番」が最下位階層である第４階層の情報に該当する。
【００２９】
図２の端末特定部４は、火災受信機ＦＡの複数の機能のうち１つの機能が選択されたときに、選択された火災受信機ＦＡの機能に関連する種別ＫＩの端末機器をデータベースＤＢから抽出し、抽出した端末機器の特定情報である「系統ＬＮ」や「アドレスＡＤ」や「通番」を後述する系統選択スイッチ２１０−ｎやアドレス選択スイッチ２２０−ｎや通番選択スイッチとして表示操作部２に表示し、操作に応じて端末機器を特定するものである。
【００３０】
＜ガイダンスデータベースの構造＞
図４は記憶部４に記憶されたガイダンスデータベースＤＢ２のデータ構造の一例を示す図である。図４のガイダンスデータベースＤＢ２には、画像データＧＤと表示要因とが関連付けて記憶されている。さらに詳しくはガイダンスデータベースＤＢ２には「画像番号ＧＮ」、「画像データＧＤ」、「ガイダンス名称ＧＭ」、「表示要因」、「スイッチ座標」、「スイッチ番号」、および「スイッチ名称ＳＭ」が格納される。
【００３１】
「画像データＧＤ」は、ＪＰＥＧ方式などのガイダンス画面の画像データである。「画像番号ＧＮ」は、「画像データＧＤ」の画像データのそれぞれに付与される番号であり、後述するガイダンス階層構造を示す番号でもある。「ガイダンス名称ＧＭ」は、ガイダンス階層構造を表示する際にシンボルに表示される名称である。「表示要因」は、「画像データＧＤ」の画像データを表示操作部２に表示する要因である。「スイッチ座標」は、操作部に該当する画像データに重ねて表示されるスイッチの位置を示し、「スイッチ番号」がそのスイッチのそれぞれに付与される番号であり、「スイッチ名称ＳＭ」は、スイッチの名称である。
【００３２】
＜異常表示画面構成＞
ここで、ガイダンス画面およびガイダンス階層構造画面について火災が発生したときに表示操作部２に表示される異常表示画面である火災画面５０に基づき説明する。図５は火災画面５０の一例を示す図である。火災画面５０は、イベント画面表示エリア５１、ガイダンス画面表示エリア５２およびガイダンス階層構造画面表示エリア５３を有する。イベント画面表示エリア５１は、発生した異常の内容を表示する。
【００３３】
＜ガイダンス画面＞
ガイダンス画面表示エリア５２は、ガイダンスデータベースＤＢ２に基づき、発生した異常やスイッチ操作に関連付けられたガイダンス画面を表示する。図５では、ガイダンス画面として「画像データＧＤ」のうち「表示要因」の火災発生に関連付けられたユーザに火災発生を知らせるため、火災感知器が発報したことと火災現場を確認するように促す内容の火災確認画像データを表示する。また、火災確認画像データに重ねて、「スイッチ座標」の位置に「スイッチ名称ＳＭ」が“はい”であり「スイッチ番号」がＳＷ１であるスイッチと、「スイッチ名称ＳＭ」が“いいえ”であり「スイッチ番号」がＳＷ２であるスイッチを表示する。なお、図５においては、ＳＷ１およびＳＷ２は同一サイズとなっているが、ガイダンスデータベースＤＢ２に「スイッチサイズ」のデータを含むようにして、スイッチ毎にスイッチのサイズを異ならせてもよい。
【００３４】
＜ガイダンス階層構造画面＞
ガイダンス階層構造表示エリア５３は、ガイダンスデータベースＤＢ２に基づきガイダンス画面の「ガイダンス名称ＧＭ」が付されたシンボルを階層構造がわかるように並べたガイダンス構造画面を表示する。ガイダンス階層構造表示エリア５３は、図６（ａ）に示すように更に「ルート」および「階層」のマトリックス状に分割されたエリアを有しており、各エリアには「ルート」番号と「画像番号ＧＮ」の十位の数字、「階層」番号と「画像番号ＧＮ」の一位の数字が一致するガイダンス画面のシンボルを並べて表示する。なお、「画像番号ＧＮ」の百位の数字は異常に関連していて、”０”は火災発生に関連するものであることを示している。図６（ａ）では、シンボルに代えて表示されるシンボルの「画像番号ＧＮ」を表しており、図６（ｂ）が火災発生時にガイダンス階層構造表示エリア５３に表示される「ガイダンス名称ＧＭ」が付されたシンボルを重ねて表したものである。なお、「ルート」、「階層」の数は、本実施例に限定されるものではなく、他の数とすることができ、固定の決まった数としてもよいし、ガイダンスデータベースＤＢ２に登録される「画像番号ＧＮ」によって自動的に分割数を決定するようにしてもよい。自動的に分割数を決定する場合には、併せて各エリアのサイズを自動的に調整してもよいし、ガイダンス階層構造表示エリア５３のサイズを変えるようにしてもよい。
【００３５】
＜異常時の表示動作＞
異常として「系統ＬＮ」が“１”、「アドレスＡＤ」が“ＡＤ１”の光電式アナログ感知器が火災を検知したときを例に、火災受信機ＦＡの表示動作を説明する。火災受信機ＦＡは、前述のように制御部１が送受信部５を介して端末機器から状態情報を収集している。制御部１は、「系統ＬＮ」１、「アドレスＡＤ」ＡＤ１の光電式アナログ感知器の状態情報に火災情報が含まれていると判断すると、表示操作部２に図５に示される火災画面５０を表示する。その際、制御部１は、記憶部３に記憶されている端末データベースＤＢ１から「系統ＬＮ」が“１”、「アドレスＡＤ」が“ＡＤ１”に関連付けられた端末機器の「端末機器種別ＫＩ」である“光電式アナログ感知器”と「設置場所ＳＰ」である“１棟１階１区１番  １Ｆ  第１会議室”を抽出し、イベント画面表示エリア５１に表示する。
【００３６】
また、制御部１は、記憶部３に記憶されたガイダンスデータベースＤＢ２から火災発生の「表示要因」に関連付けられた「画像データＧＤ」の“火災確認画像データ”、「スイッチ座標」の“２００，５００”および“５００，５００”、「スイッチ番号」の“ＳＷ１”と“ＳＷ２”および「スイッチ名称ＳＭ」の“はい”と“いいえ”を抽出し、ガイダンス画面表示エリア５２に表示する。
【００３７】
また、制御部１は、記憶部３に記憶されたガイダンスデータベースＤＢ２から火災発生に関連する「画像番号ＧＮ」の百位が”０”であるＧＮ０００〜ＧＮ０１３およびＧＮ０２１〜ＧＮ０２３を抽出し、さらにその「画像番号ＧＮ」と関連付けられた「ガイダンス名称ＧＭ」の”火災確認”、”火災断定”等を抽出し、前述の通りガイダンス階層構造表示エリア５３に「ガイダンス名称ＧＭ」を付したシンボルを並べて表示する。このとき、ガイダンス画面表示エリア５２には、火災確認のガイダンス画面を表示しているので火災確認のシンボルは他のシンボルと異なる表示とする。異なる表示は、色を異ならせたり、形状を異ならせたり、様々な方法とすることができる。
【００３８】
ユーザは、火災受信機ＦＡに表示される火災確認のガイダンス画面を見て、火災現場を確認して、ガイダンス画面表示エリア５２に表示されるＳＷ１またはＳＷ２を選択（操作）する。ユーザがＳＷ１の”はい”を操作すると、制御部１はガイダンスデータベースＤＢ２からＳＷ１操作の「表示要因」関連付けられたデータを火災画面５０のときと同様に抽出して、図７（ａ）のようにガイダンス画面表示エリア５２に火災断定のガイダンス画面を表示する。また、制御部１は、ガイダンス階層構造画面表示エリア５３の火災確認のシンボルに代えて火災断定のシンボルを他のシンボルと異なる表示形態で表示する。同様にユーザがＳＷ２の”いいえ”を操作すると、制御部１は図７（ｂ）のようにガイダンス画面表示エリア５２にベル・他設備移報停止のガイダンス画面を表示し、ガイダンス階層構造画面表示エリア５３のベル・他設備移報停止のシンボルを他のシンボルと異なる表示形態で表示する。異なる様態としては、色替え、シンボルの形状変更等の様々な方法とすることができる。
【００３９】
上記のように、異常発生時にユーザに対処方法を示すガイダンス画面とともに、ガイダンス画面の階層構造を示すガイダンス階層構造画面を表示し、現在表示しているガイダンス画面が何階層目であるか、残りの作業を示すガイダンス画面がどれくらいあるかユーザは知ることができるため、ユーザに落ち着いて対処させることができる。また、ガイダンスに従い対処を行った後に、ガイダンス画面に表示されたスイッチを操作する場合に、ガイダンス画面の分岐先がどのような作業になっているかわかるため、複数あるうちのどのスイッチを押したらよいかユーザが判断することができる。
【００４０】
なお、本実施の形態では、ガイダンス階層構造画面をガイダンスデータベースＤＢ２の「画像番号ＧＮ」および「ガイダンス名称ＧＭ」に基づき生成するようにしたが、それぞれの「画像データＧＤ」に含めた画像としてもよい。
また、ガイダンス階層構造画面は、異常に関連する全てのシンボルを表示せず、たとえば火災確認のガイダンス画面でＳＷ２の”いいえ”を操作してベル・他設備移報停止のガイダンス画面を表示するときに、図６（ｃ）のようにベル・他設備移報停止のルートのシンボルのみ表示したり、図６（ｄ）のようにベル・他設備移報停止のルートのシンボルの名称のみ表示するようにしたりしてもよい。また、対処が終わった上位のガイダンス画面のシンボルやシンボルの名称を表示しないようにしてもよい。また、ガイダンス階層構造画面の表示方法を上記のいずれかに切り替える設定ができるようにしてもよい。また、ガイダンス階層構造画面のシンボルをスイッチとし、シンボルを選択するとシンボルが示すガイダンス画面を表示するようにしてもよい。
【００４１】
＜機能選択動作＞
ユーザが火災受信機ＦＡの機能を選択する際の動作について説明する。特には図示しないが、ユーザが表示操作部２に表示されるメニュースイッチを選択（操作）すると、制御部１は表示操作部２に第１階層メニュー画面１００を表示する。図８は、第１階層メニュー画面１００の一例を示す模式図である。なお、図８においては、表示操作部２に表示される様々な画面のうち、第１階層メニュー画面１００のみを表している。火災受信機ＦＡの多数の機能は、項目分けして階層化してあり、第１階層メニュー画面１００には、第１階層の項目を選択する項目選択スイッチ１００ａ〜１００ｅが一覧表示され、ユーザは項目選択スイッチ１００ａ〜１００ｅにより、いずれか１つの項目を選択することができる。
【００４２】
第１階層の項目選択スイッチの一例としては、端末機器の試験や停電時に火災受信機ＦＡの動作を保障するために搭載される電池（不図示）の試験の機能をまとめた試験項目スイッチ１００ａ、火災受信機ＦＡの表示操作部２に表示する内容の設定や異常発生内容を印字するプリンタ（不図示）の印字方向の設定等の火災受信機ＦＡの動作の設定機能をまとめた動作設定項目スイッチ１００ｂのほか、火災受信機ＦＡのメンテナンスを行うときに使用する機能をまとめたメンテナンス項目スイッチ１００ｃ、火災受信機ＦＡから他設備に出力する信号等を遮断するための機能をまとめた遮断項目スイッチ１００ｄ、発生した異常等のイベントの履歴を表示操作部２に表示させる機能をまとめた履歴項目スイッチ１００ｅがある。
【００４３】
そして、ユーザによりたとえば第１階層メニュー画面１００の試験項目選択スイッチ１００ａが選択されたとき、制御部１は表示操作部２に第１階層メニュー画面１００に加えて、第２階層メニュー画面１１０を表示する。図９（ａ）は、表示操作部２に第１階層メニュー画面１００と第２階層メニュー画面１１０とを表示させたときの一例を示す模式図である。制御部１は、第２階層メニュー画面１１０を表示させるとき、対応する第１階層の項目選択スイッチを他の項目選択スイッチとは異なる様態で表示し、現在表示している第２階層メニュー画面１１０が第１階層メニュー画面のどの項目の下位階層であるかを示す。異なる表示は、色を異ならせたり、形状を異ならせたり、様々な方法とすることができる。
【００４４】
第２階層メニュー画面には、第１階層の１段下位階層の項目を選択する項目選択スイッチ１１０ａ〜１１０ｃが一覧表示され、ユーザは項目選択スイッチ１１０ａ〜１１０ｃにより、いずれか１つの項目を選択することができる。試験項目スイッチ１００ａの下位階層の第２階層メニュー画面の項目選択スイッチの一例としては、火災を検出する端末機器の試験の機能をまとめた火災試験項目スイッチ１１０ａ、防排煙機器を作動させる試験の機能をまとめた作動試験項目スイッチ１１０ｂ、電池を試験する電池試験項目スイッチ１１０ｃがある。
【００４５】
そして、ユーザによりさらに第２階層メニュー画面１１０の火災試験項目スイッチ１１０ａが選択されたとき、制御部１は表示操作部２に第１階層メニュー画面１００および第２階層メニュー画面１１０に加えて、第３階層メニュー画面１２０を表示する。図９（ｂ）は、表示制御部２に第１階層メニュー画面１００と第２階層メニュー画面１１０と第３階層メニュー画面１２０とを表示させたときの一例を示す模式図である。制御部１は、上記の説明と同様に上位階層で選択された項目選択スイッチを他の選択項目スイッチとは異なる様態で表示し、上位階層のどの項目の下位階層のメニュー画面かを示す。そのため、図９（ｂ）では、第１階層メニュー画面の「試験」項目スイッチ１００ａ、第２階層メニュー画面の火災試験項目スイッチ１１０ａが他の項目試験スイッチとは異なる様態で表示される。異なる様態としては、色替え、シンボルの形状変更等の様々な方法とすることができる。
【００４６】
第３階層メニュー画面には、第２階層の１段下位階層の項目を選択する項目選択スイッチ１２０ａおよび１２０ｂが一覧表示され、ユーザは項目選択スイッチ１２０ａまたは１２０ｂのいずれかの項目を選択することができる。火災試験項目スイッチ１１０ａの下位階層の第３階層メニュー画面の項目選択スイッチの一例としては、光電式アナログ感知器の試験をするための光電式項目スイッチ１２０ａと熱式アナログ感知器の試験をするための熱式項目スイッチ１２０ｂがある。
【００４７】
上記のように、火災受信機ＦＡの多数の機能を項目分けして階層化している場合、上位階層の項目を選択すると下位階層の画面とともに上位階層の画面を表示し、上位階層と下位階層の関連を示すように表示するため、現在表示している画面が何階層目であるか、どの項目の下位階層かわかる。そのため、ユーザは目的の機能を選択する過程で、上位階層の項目の選択が正しいのか確認したり、間違った項目を選択したりしていないか容易に判別することができる。
【００４８】
なお、本実施の形態では、下位階層の画面を表示するときに上位階層の全ての項目選択スイッチを表示しているが、選択された項目選択スイッチを残して他の項目選択スイッチを表示しないようにしてもよい。また、選択された項目スイッチの項目名を残して他の項目選択スイッチの項目名を表示しないようにしてもよい。
また、本実施の形態では、上位階層の選択された項目選択スイッチを他の項目選択スイッチと異なる様態で表示させるようにしたが、上位階層の項目選択スイッチと下位階層の画面を線で結んだり、吹き出し形状にしたり関係がわかる様々な方法とすることができる。また、階層の数および各階層の項目数は、上記に限定されるものではなく、機能数やシステムの規模に応じた数とすることができる。また、複数階層のメニュー画面を表示しているときに、２段以上の上位階層のメニュー画面の項目を直接操作することもできる。
【００４９】
＜端末選択動作＞
火災受信機ＦＡの機能の中には、端末機器を選択する必要があるものがある。たとえば上記の光電式の火災試験では、試験を行う光電式アナログ感知器を選択して機能を実行する。ユーザが端末機器を選択する際の動作について、試験する光電式アナログ感知器を選択する場合を例に説明する。端末特定部４は、図９（ｂ）の第３階層メニュー画面で光電式項目スイッチ１２０ａが選択されると、表示操作部２に第１階層〜第３階層メニュー画面に並べて、試験端末機器選択画面２００を表示する。図１０（ａ）は、試験端末機器選択画面２００の一例を示す模式図である。
【００５０】
制御部１は、図１０（ａ）の試験端末機器選択画面２００を表示するとき、端末データベースＤＢ１の「端末機器種別ＫＩ」を検索し、ユーザが選択した機能に関連する端末機器の種別である光電式アナログ感知器ＳＥ１１に関連付けて記憶されている「系統ＬＮ」を抽出する。なお、「系統ＬＮ」が端末機器の特定情報の最上位階層の情報に該当する。端末特定部４は、系統選択画面２１０に抽出した「系統ＬＮ」を選択するための系統選択スイッチ２１０−１〜２１０−ｎを一覧表示する。
【００５１】
端末特定部４は、ユーザの系統選択スイッチの選択（操作）により、火災試験を行う光電式アナログ感知器ＳＥ１１が接続されている「系統ＬＮ」が選択されると、図１０（ｂ）に示すように系統選択画面２１０に切り替えるためのタブに設けられた選択系統表示部２１１に選択された系統ＬＮの番号を表示し、系統選択画面２１０をアドレス選択画面２２０に切り替えて表示する。端末特定部４は、端末データベースＤＢ１の「端末機器種別ＫＩ」および「系統ＬＮ」を検索し、光電式アナログ感知器ＳＥ１１および選択した系統に関連付けて記憶されている「アドレスＡＤ」を抽出する。なお、「アドレスＡＤ」が端末機器の特定情報の最上位階層の一段下位階層の情報に該当する。制御部は、アドレス選択画面２２０に抽出した「アドレスＡＤ」を選択するためのアドレス選択スイッチ２２０−１〜２２０−ｎを一覧表示する。
【００５２】
端末特定部４は、ユーザのアドレス選択スイッチの選択（操作）により、火災試験を行う光電式アナログ感知器ＳＥ１１の「アドレスＡＤ」が選択されると、図１０（ｃ）に示すようにアドレス選択画面２２０に切り替えるためのタブに設けられた選択アドレス表示部２２１に選択されたアドレスＡＤの番号を表示し、試験を実行するか否かを選択するための「はい」スイッチおよび「いいえ」スイッチを表示する。ユーザにより「はい」スイッチが選択されると、端末特定部４は選択された「系統ＬＮ」および「アドレスＡＤ」を制御部１に通知する。制御部１は、通知を受けた「系統ＬＮ」の送受信部５を介して、通知を受けた「アドレスＡＤ」の光電式アナログ感知器ＳＥ１１に火災試験命令を送信する。
【００５３】
上記のように、火災受信機ＦＡの複数の機能のうち端末機器を指定する機能が選択されたときに、階層化された端末機器の特定情報のうち選択された機能に関連する特定情報のみを上位階層から順に選択することで容易に端末機器を指定することができる。また、選択した機能に関係ない種別の端末機器を指定してしまうことがない。
なお、本実施の形態では、端末機器の特定情報として「系統ＬＮ」と「アドレスＡＤ」の２階層の場合について説明したが、それに限定されない。たとえば、防排煙機器を指定する作動試験では、さらに「通番」を加えた３階層となる。また、端末機器の特定情報は「設置場所ＳＰ」の「棟」、「階」、「区」、「番」のように端末機器が特定できればどのような情報としてもよいし、複数の特定情報を切り替え、切り替えた特定情報で端末機器を選択できるようにしてもよい。また、系統やアドレスの選択スイッチとして該当する特定情報の番号のみ並べるようにしてもよいし、全ての番号を並べ抽出した選択可能なスイッチのみ異なる様態で表示するようにしてもよい。
【符号の説明】
【００５４】
１…制御部、２…表示部（表示操作部）、３…記憶部、４…端末特定部、５…送受信部、５０…火災画面、５１…イベント画面表示エリア、５２…ガイダンス画面表示エリア、５３ガイダンス階層構造画面表示エリア、１００…第１階層メニュー画面、１００ａ…試験項目スイッチ、１００ｂ…動作設定項目スイッチ、１００ｃ…メンテナンス項目スイッチ、１００ｄ…遮断項目スイッチ、１００ｅ…履歴項目スイッチ、１１０…第２階層メニュー画面、１１０ａ…火災試験項目スイッチ、１１０ｂ…作動試験項目スイッチ、１１０ｃ…電池試験項目スイッチ、１２０…第３階層メニュー画面、１２０ａ…光電式項目スイッチ、１２０ｂ…熱式項目スイッチ、２００…試験端末機器選択画面、２１０…系統選択画面、２１０−１〜２１０−ｎ…系統選択スイッチ、２１１…選択系統表示部、２２０−１〜２２０−ｎ…アドレス選択スイッチ、２２１…選択アドレス表示部、ＦＡ…火災受信機、ＳＧ…信号線、ＳＥ１１…光電式アナログ感知器、ＳＥ１２…熱式アナログ感知器、ＳＥ１３…アドレッサブル発信機、Ｂ１１…地区ベル用中継器、Ｂ１１１〜Ｂ１１４…地区ベル、Ｄ１１…防排煙制御用中継器、Ｄ１１１…防火戸、Ｄ１１２…排煙機、Ｄ１１３…シャッタ、Ｄ１１４…たれ壁、ＬＮ…系統、ＡＤ…アドレス、ＫＩ…端末機器種別、ＳＰ…設置場所、ＧＮ…画像番号、ＧＤ画像データ、ＧＭ…ガイダンス名称、ＳＭ…スイッチ名称、ＳＷ１〜１５…スイッチ番号
【図１】
2018173828.tif 000003
【図２】
2018173828.tif 000004
【図３】
2018173828.tif 000005
【図４】
2018173828.tif 000006
【図５】
2018173828.tif 000007
【図６】
2018173828.tif 000008
【図７】
2018173828.tif 000009
【図８】
2018173828.tif 000010
【図９】
2018173828.tif 000011
【図１０】
2018173828.tif 000012